(57)【要約】【課題】ＴＶ放送用のチューナモジュールの動作時に、他のモジュールの使用をできるだけ中断しないようにする。【解決手段】電子機器１は、チューナモジュール１５、他のモジュール１３、およびそれらの制御装置２を含む。制御装置２は、選択中のチャンネルの信号品質の情報をチューナモジュール１５から取得する。制御装置２は、チューナモジュール１５および他のモジュール１３が共に動作中のときに選択中のチャンネルの信号品質が許容レベルに達していない場合には、他のモジュール１３を一時的に停止し、他のモジュール１３を停止する前後で選択中のチャンネルの信号品質を比較する。そして、制御装置２は、比較の結果に基づいて他のモジュール１３の動作を制御する。【選択図】図１
2014053670.tif 000002
【特許請求の範囲】
【請求項１】
受信したＴＶ（Television）放送波のうち希望のチャンネルの信号を選択して周波数変換するチューナモジュールと、
前記ＴＶ放送波の周波数範囲内の一部の周波数でノイズを発生する他のモジュールと、
前記チューナモジュールおよび前記他のモジュールの動作を制御する制御装置とを備え、
前記制御装置は、
選択中のチャンネルの信号品質の情報を前記チューナモジュールから取得し、
前記チューナモジュールおよび前記他のモジュールが共に動作中のときに選択中のチャンネルの信号品質が許容レベルに達していない場合には、前記他のモジュールを一時的に停止し、前記他のモジュールを停止する前後で選択中のチャンネルの信号品質を比較し、
前記比較の結果に基づいて、前記他のモジュールの動作を制御するように構成されている、電子機器。
【請求項２】
前記制御装置は、前記他のモジュールを停止する前後で選択中のチャンネルの信号品質が実質的に変化していない場合には、前記他のモジュールの動作を継続するように構成されている、請求項１に記載の電子機器。
【請求項３】
前記制御装置は、前記他のモジュールの停止中のほうが動作中に比べて選択中のチャンネルの信号品質が改善している場合には、選択中のチャンネルでのＴＶ放送の視聴を終了するまで、または前記チューナモジュールによって選択するチャンネルを変更するまで、前記他のモジュールを停止するように構成されている、請求項１または２に記載の電子機器。
【請求項４】
前記他のモジュールの少なくとも一部は、クロック信号に基づいて動作し、
前記クロック信号の高調波の周波数は、前記ＴＶ放送波の周波数範囲に含まれる、請求項１〜３のいずれか１項に記載の電子機器。
【請求項５】
前記他のモジュールは、
放射線を検出する放射線センサと、
前記クロック信号に基づいて動作し、前記放射線センサの出力信号の処理を行なうための回路とを含む、請求項４に記載の電子機器。
【請求項６】
前記電子機器は、通信端末装置を含む、請求項１〜５のいずれか１項に記載の電子機器。
【請求項７】
電子機器の制御方法であって、
前記電子機器は、
受信したＴＶ放送波のうち希望のチャンネルの信号を選択して周波数変換するチューナモジュールと、
前記ＴＶ放送波の周波数範囲の一部の周波数でノイズを発生する他のモジュールとを含み、
前記電子機器の制御方法は、
前記チューナモジュールおよび前記他のモジュールが共に動作中のときに、選択中のチャンネルの信号品質が許容レベルに達しているか否かを判定するステップと、
前記判定の結果、選択中のチャンネルの信号品質が許容レベルに達していない場合に、前記他のモジュールを一時的に停止し、前記他のモジュールを停止する前後で選択中のチャンネルの信号品質を比較するステップと、
前記比較の結果に基づいて、前記他のモジュールの動作を制御するステップとを備える、電子機器の制御方法。
【発明の詳細な説明】
【技術分野】
【０００１】
この発明は、テレビジョン（ＴＶ：Television）用のチューナモジュールを含む複数のモジュールを内蔵した電子機器およびその制御方法に関するものであり、たとえば、デジタルＴＶ受信用のチューナモジュールを内蔵した携帯端末装置に好適に用いられる。
【背景技術】
【０００２】
デジタルＴＶ放送の開始によって、スマートフォンなどの携帯電話機にもデジタルＴＶ用のチューナモジュールが搭載されるようになってきている。携帯電話機にはＴＶチューナモジュール以外にも種々のモジュールが内蔵されているので、他のモジュールが発生するノイズによって受信したＴＶ放送波の信号品質が劣化することがしばしば問題となる。
【０００３】
たとえば、特開２００４−１１２３７０号公報（特許文献１）に開示された携帯電話機は、携帯電話機の通話時の電波の送受信によって放送受信障害が生じることを避けるために、テレビ放送視聴を行なう際には留守番登録モードの実行をセンターに要請する。
【０００４】
特開２００７−３２４７７９号公報（特許文献２）に開示された携帯端末装置は、カメラと、テレビチューナと、テレビチューナの出力から映像信号を生成する映像復号回路とを備える。カメラによって撮影され生成される映像信号と映像復号回路から出力される映像信号とは、共通バス経由で表示モニタに伝送される。テレビ放送の受信中には、カメラからのノイズがテレビ用のアンテナに回り込むのを防ぐために、共通バスとカメラとの接続がスイッチ回路によって切り離される。
【先行技術文献】
【特許文献】
【０００５】
【特許文献１】特開２００４−１１２３７０号公報
【特許文献２】特開２００７−３２４７７９号公報
【発明の概要】
【発明が解決しようとする課題】
【０００６】
ところで、本願の発明者らは、スマートフォンなどの携帯端末装置に放射線センサモジュールを内蔵した製品を開発している。携帯端末装置に放射線計測機能を付加することによって、放射線を手軽に測定できるというメリットがある。
【０００７】
放射線センサモジュールは、上記特許文献の場合と同様に、受信したＴＶ放送波の信号品質を劣化するノイズ源となり得る。しかしながら、ＴＶ放送の受信障害を避けるために、放射線センサモジュールの使用を無条件で中断することは望ましくない。放射線の測定精度は、測定時間が長いほど向上するので、ＴＶ放送の視聴時においてもできるだけ中断をせずに測定時間を確保することが望ましいからである。
【０００８】
この発明は、上記の問題点を考慮してなされたものであり、その目的は、ＴＶ放送用のチューナモジュールの動作時に、他のモジュールの使用をできるだけ中断しないようにすることである。その他の課題と新規な特徴は、本明細書の記述および添付図面から明らかになるであろう。
【課題を解決するための手段】
【０００９】
この発明は一局面において電子機器であって、チューナモジュールと、他のモジュールと、チューナモジュールおよび他のモジュールの動作を制御する制御装置とを備える。チューナモジュールは、受信したＴＶ（Television）放送波のうち希望のチャンネルの信号を選択して周波数変換する。他のモジュールは、ＴＶ放送波の周波数範囲内の一部の周波数でノイズを発生する。制御装置は、選択中のチャンネルの信号品質の情報をチューナモジュールから取得し、チューナモジュールおよび他のモジュールが共に動作中のときに選択中のチャンネルの信号品質が許容レベルに達していない場合には、他のモジュールを一時的に停止し、他のモジュールを停止する前後で選択中のチャンネルの信号品質を比較し、比較の結果に基づいて、他のモジュールの動作を制御するように構成されている。
【００１０】
好ましくは、制御装置は、他のモジュールを停止する前後で選択中のチャンネルの信号品質が実質的に変化していない場合には、他のモジュールの動作を継続するように構成されている。
【００１１】
好ましくは、制御装置は、他のモジュールの停止中のほうが動作中に比べて選択中のチャンネルの信号品質が改善している場合には、選択中のチャンネルでのＴＶ放送の視聴を終了するまで、またはチューナモジュールによって選択するチャンネルを変更するまで、他のモジュールを停止するように構成されている。
【００１２】
好ましくは、他のモジュールの少なくとも一部は、クロック信号に基づいて動作する。クロック信号の高調波の周波数は、ＴＶ放送波の周波数範囲に含まれる。
【００１３】
好ましくは、他のモジュールは、放射線を検出する放射線センサと、上記のクロック信号に基づいて動作し、前記放射線センサの出力信号の処理を行なうための回路とを含む。
【００１４】
好ましくは、電子機器は、通信端末装置を含む。
この発明は、他の局面において電子機器の制御方法である。ここで、電子機器は、受信したＴＶ放送波のうち希望のチャンネルの信号を選択して周波数変換するチューナモジュールと、ＴＶ放送波の周波数範囲の一部の周波数でノイズを発生する他のモジュールとを含む。電子機器の制御方法は、チューナモジュールおよび他のモジュールが共に動作中のときに、選択中のチャンネルの信号品質が許容レベルに達しているか否かを判定するステップと、判定の結果、選択中のチャンネルの信号品質が許容レベルに達していない場合に、他のモジュールを一時的に停止し、他のモジュールを停止する前後で選択中のチャンネルの信号品質を比較するステップと、比較の結果に基づいて、他のモジュールの動作を制御するステップとを備える。
【発明の効果】
【００１５】
この発明によれば、ＴＶ放送用のチューナモジュールの動作時に、他のモジュールの使用をできるだけ中断しないようにできる。
【図面の簡単な説明】
【００１６】
【図１】一実施の形態による携帯端末装置の構成を示すブロック図である。
【図２】図１の放射線センサモジュールの構成の一例を示すブロック図である。
【図３】図１のチューナモジュールの構成の一例を示すブロック図である。
【図４】放射線センサモジュール使用時のＴＶ放送波の信号品質の劣化について説明するための図である。
【図５】放射線センサモジュールからのノイズ波形の一例を示す図である。
【図６】図１の放射線センサモジュールとチューナモジュールとを同時に動作する場合の携帯端末装置の制御方法を示すフローチャートである。
【発明を実施するための形態】
【００１７】
以下、実施の形態について図面を参照して詳しく説明する。各図面において同一または相当する部分には同一の参照符号を付して、その説明を繰返さない場合がある。
【００１８】
なお、以下の実施の形態では、スマートフォンなどの携帯端末装置に内蔵されたＴＶチューナモジュールおよび放射線センサモジュールを、同時に使用する場合を例に挙げている。しかしながら、以下の技術は、このような例に限られず、たとえば、通信機能を備えていないＰＤＡ（Personal  Digital  Assistants）などの電子機器にも適用可能であるし、放射線センサモジュール以外の他のモジュールとＴＶチューナモジュールとを同時に使用する場合にも適用可能である。
【００１９】
［携帯端末装置の構成］
図１は、一実施の形態による携帯端末装置の構成を示すブロック図である。
【００２０】
図１を参照して、携帯端末装置１は、ホストコントローラとしての中央処理装置（ＣＰＵ：Central  Processing  Unit）２、ＲＡＭ（Random  Access  Memory）３、ＲＯＭ（Read  Only  Memory）４、不揮発性メモリ５、表示部６、入力部７、アンテナ８、通信装置９、マイク１０、スピーカ１１、および音声信号処理回路１２を含む。
【００２１】
ＣＰＵ２は、ＲＯＭ４および不揮発性メモリ５に格納されたプログラムを実行することによって、携帯端末装置１の全体の動作を制御する。ＲＡＭ３およびＲＯＭ４は、ＣＰＵ２の主記憶として用いられる。
【００２２】
不揮発性メモリ５は、たとえば、フラッシュメモリなどのＥＥＰＲＯＭ（Electrically  Erasable  Programmable  Read-Only  Memory）によって構成される。不揮発性メモリに代えてハードディスクを設けてもよい。不揮発性メモリ５は、ＣＰＵ２などから出力されたデータを格納する。
【００２３】
表示部６は、液晶表示パネルなどによって構成され、ＣＰＵ２の指令に基づいて文字情報および画像（動画像（映像）を含む）を表示する。
【００２４】
入力部７は、ユーザが携帯端末装置１に数字および文字などの入力操作を行なうためのハードウェアキーを含む。もしくは、携帯端末装置１がスマートフォンなどの場合には、入力部７は、表示部６と一体化されたタッチパネルを含むように構成されていてもよい。この場合、ユーザは入力操作の大部分をタッチパネルを介して行なうので、ハードウェアキーとして、電源キーおよび音量キーなどの少数のキーのみが設けられ、数字および文字用のキーは設けられていなくてもよい。
【００２５】
通信装置９は、ＣＰＵ２の指令に基づいて、携帯電話用の無線基地局との間で、アンテナ８を介して音声信号およびデータ信号の無線通信を行なう。
【００２６】
音声信号処理回路１２は、マイク１０で検出した音声信号をＡＤ（Analog-to-Digital）変換し、変換後のデジタル音声信号に対して符号化およびノイズ除去などの信号処理を行なう。音声信号処理回路１２は、さらに、音響出力すべきデジタル信号に対して所定の信号処理を行なってスピーカ１１に出力する。なお、図１の場合と異なり、音声信号処理回路１２を設けずに、音声信号処理回路１２の機能をプログラムに基づいてＣＰＵ２が実行するようにしてもよい。
【００２７】
図１の携帯端末装置１は、さらに、放射線センサモジュール１３、デジタルＴＶ放送受信用のアンテナ１４、およびデジタルＴＶ用のチューナモジュール１５を含む。以下、放射線センサモジュール１３およびチューナモジュール１５のより詳細な構成を図２、図３を参照して説明する。
【００２８】
［放射線センサモジュールの構成例］
図２は、図１の放射線センサモジュール１３の構成の一例を示すブロック図である。図２を参照して、放射線センサモジュール１３は、センサ本体２０と、アナログフロントエンド２２と、デジタルノイズキャンセラ２３と、カウンタ２４と、ＥＥＰＲＯＭなどのメモリ２６とを含む。図２の場合、アナログフロントエンド２２、デジタルノイズキャンセラ２３、およびカウンタ２４は、ＡＳＩＣ（Application  Specific  Integrated  Circuit）として構成され、図１のＣＰＵ２からの制御信号に応じて動作する。
【００２９】
センサ本体２０は、放射線を検知したときにパルス信号を出力する。たとえば、センサ本体２０は、逆方向にバイアス電圧が印加されたシリコンＰＩＮフォトダイオードを含む。この場合、放射線が空乏層を通過したときに発生する電子正孔対によって、パルス状の電流信号が生成される。
【００３０】
アナログフロントエンド２２は、センサ本体２０から出力されたパルス信号を増幅するアンプと、アンプの出力が閾値を超えたか否かを判定する比較器とを含む。比較器によって、パルスの有無が検出される。
【００３１】
デジタルノイズキャンセラ２３は、アナログフロントエンド２２の出力をＡＤ変換した後、ＡＤ変換後の信号のノイズを除去する。デジタルノイズキャンセラ２３は、クロック生成回路２５によって生成されたクロック信号に同期して動作する。クロック周波数は、一例として数ＭＨｚ〜数十ＭＨｚ程度の値にしている。
【００３２】
カウンタ２４は、パルス信号のパルス数をカウントする。カウンタの出力はメモリ２６に記憶される。図１のＣＰＵ２は、パルスのカウント数に基づいて、放射線量率［μＳｖ／ｈ］およびその統計誤差（相対誤差）を算出する。放射線量率の相対誤差は、全カウント数の平方根の逆数によって決まるので、測定時間が長いほど相対誤差が小さくなる（すなわち、測定精度が向上する）。
【００３３】
［チューナモジュールの構成例］
図３は、図１のチューナモジュールの構成の一例を示すブロック図である。図３を参照して、チューナモジュール１５は、チューナ部３５と、伝送路復号部３６とを含む。伝送路復号部３６は信号品質検出部３７を含む。
【００３４】
チューナ部３５は、アンテナ１４を介して受信したＲＦ（Radio  Frequency）信号（ＴＶ放送波）の信号レベルを調整する機能、希望のチャンネルの信号を選択するフィルタリング機能、およびＲＦ信号をＩＦ（Intermediate  Frequency）信号にダウンコンバートする周波数変換機能を有する。
【００３５】
伝送路復号部３６は、チューナ部３５から出力されたＩＦ信号をＡ／Ｄ（Analog-to-Digital）変換し、ＡＤ変換後の信号に対して伝送路復号化などの信号処理を行なう。たとえば、日本の地上デジタル放送の方式であるＩＳＤＢ−Ｔ（Integrated  Services  Digital  Broadcasting-Terrestrial）では、ＯＦＤＭ（Orthogonal  Frequency  Division  Multiplexing：直交周波数多重）変調方式が用いられているので、伝送路復号部３６においてＯＦＤＭ復調が行なわれる。
【００３６】
信号品質検出部３７は、チューナ部３５によって選択されているチャンネルの信号品質を検出する。具体的に、選択中のチャンネルの信号品質の情報として、ＩＦ信号に基づいたＣ／Ｎ比（Carrier-to-Noise  Ratio、以下「ＣＮ値」とも称する。）および／またはＯＦＤＭ復調後の信号に基づいたＭＥＲ（Modulation  Error  Ratio：変調誤差比）などを用いることができる。信号品質の情報は、たとえば、内蔵のレジスタに格納され、レジスタの情報がＣＰＵ２から読み出される。
【００３７】
上記の構成要素はワンチップのＩＣ（Integrated  Circuit）として集積化してもよいし、チューナ部３５と伝送路復号部３６（信号品質検出部３７を含む）とが別々のＩＣに集積化されて共通のパッケージに収納されるようにしてもよい。
【００３８】
［同時動作の場合の問題点］
次に、図１の放射線センサモジュール１３とチューナモジュール１５の両方を同時に動作した場合の問題点について説明する。
【００３９】
図４は、放射線センサモジュール使用時のＴＶ放送波の信号品質の劣化について説明するための図である。図４では、図１の放射線センサモジュール１３、ホストコントローラとしてのＣＰＵ２、デジタルＴＶ用のアンテナ１４およびデジタルＴＶ用のチューナモジュール１５を抜き出して示している。
【００４０】
図４を参照して、放射線センサモジュール１３からは、クロック信号およびその高調波信号３０がノイズとして発生する。この高調波信号３０は、デジタルＴＶ用のアンテナ１４によって受信されてＴＶ放送波に重畳されるので、ＴＶ放送波の信号品質（Ｃ／Ｎ比）に劣化が生じる。
【００４１】
図５は、放射線センサモジュールからのノイズ波形の一例を示す図である。図５では、日本の地上デジタルＴＶ放送で用いられている４７０ＭＨｚ（１３ｃｈ（チャンネル））〜７７０ＭＨｚ（６２ｃｈ（チャンネル））の周波数範囲での受信信号レベルが示されている。４７０ＭＨｚ〜７７０ＭＨｚの周波数範囲には５０のチャンネルに区分される。たとえば、チャンネル１３の帯域は４７０ＭＨｚ〜４７６ＭＨｚである。なお、日本の地上デジタルＴＶ放送のチャンネル数は、２０１３年３月までに１３〜５２チャンネルの４０個のチャンネルに変更になる。
【００４２】
図５に示すように、４７０ＭＨｚ〜７７０ＭＨｚの周波数範囲には、放射線センサモジュールで用いられているクロック信号の高調波信号３０が比較的大きな信号レベルのノイズとして含まれている。このクロック信号の高調波信号３０が、この周波数範囲に割り当てられた５０個のチャンネルのうちのどのチャンネルに現れるかを、特定することはできない。なぜなら、クロック周波数の設計値は、たとえば、数ＭＨｚ〜数十ＭＨｚ程度の値であるが、実際のクロック周波数は、回路を構成する素子特性のばらつきによって必ずしも設計値どおりにはならないからである。さらには、温度の変動に伴って素子特性が変化するために、クロック周波数は一定値に定まらないからである。
【００４３】
上記のようにノイズが生じるチャンネルを特定できないために、チューナモジュール１５で選択したチャンネルごとに、放射線センサモジュール１３の動作を継続する場合と中断する場合とに予め区別することはできない。一方、選択したチャンネルによらず、ＴＶ視聴中には放射線センサモジュール１３の動作を一律に停止することは望ましくない。なぜなら、放射線の測定精度は、測定時間が長いほど向上するので、できるだけ中断をせずに測定時間を確保することが望ましいからである。
【００４４】
さらに、放射線センサモジュール１３の使用がＴＶ放送の受信障害の原因となっているか否かを確認する必要もあると考えられる。さもないと、別の原因で受信障害が生じている場合でも、放射線センサモジュール１３の使用が制限されてしまう。以上の問題点を考慮した携帯端末装置１の制御方法を次に説明する。
【００４５】
［携帯端末装置の制御方法］
図６は、図１の放射線センサモジュールおよびチューナモジュールを同時に動作する場合の携帯端末装置の制御方法を示すフローチャートである。
【００４６】
図１および図６を参照して、ユーザが入力部７を操作して放射線計測の開始指令を入力すると、ＣＰＵ２は、放射線センサモジュール１３を起動することにより、放射線計測を開始する（ステップＳ１）。ＣＰＵ２は、所定の計測期間が終了したら、もしくは、統計的な相対誤差が所定値以下になったら、放射線センサモジュール１３を停止し、放射線計測を終了する。
【００４７】
ユーザが入力部７を操作してデジタルＴＶ放送の視聴を開始する指令を入力すると、ＣＰＵ２は、チューナモジュール１５を起動し、ユーザが選択したチャンネルのＴＶ放送波をチューナモジュール１５によって選局する（ステップＳ２）。さらに、ＣＰＵ２は、チューナモジュール１５の出力信号に基づいてＴＳ（Transport  Stream）信号を再生し、再生したＴＳ信号に基づいて映像信号と音声信号を再生する。ＣＰＵ２は再生した映像信号を表示部６に表示させ、再生した音声信号をスピーカ１１に出力させる。
【００４８】
ＣＰＵ２は、放射線センサモジュール１３とチューナモジュール１５とが同時に動作している場合、チューナモジュール１５から選択中のチャンネルの信号品質の情報（ここでは、ＣＮ値とする）を取得する（ステップＳ３）。ＣＰＵ２は、取得したＣＮ値が許容レベル以上であるか否かを判定する（ステップＳ４）。
【００４９】
ＣＰＵ２は、ＣＮ値が許容レベル以上の場合には（ステップＳ４でＹＥＳ）、放射線センサモジュールがオンのままでＴＶ視聴を継続する。その後、ユーザによってチャンネルが変更された場合には（ステップＳ１０でＹＥＳ）、ＣＰＵ２は、変更後のチャンネルのＣＮ値を取得し（ステップＳ３）、取得したＣＮ値が許容レベル以上であるか否かを判定する（ステップＳ４）。
【００５０】
一方、ＣＰＵ２は、ＣＮ値が許容レベルに満たない場合（ステップＳ４でＮＯ）、放射線センサモジュール１３を一時的に停止し（ステップＳ５）、放射線センサモジュール１３が停止中の状態で、選択中のチャンネルのＣＮ値を取得する。そして、ＣＰＵ２は、放射線センサモジュール１３の停止前に比べてＣＮ値が改善したか否かを判定する（ステップＳ７）。
【００５１】
センサ停止前に比べてＣＮ値が改善していない場合（すなわち、放射線センサモジュール１３の動作中と停止中とでＣＮ値に実質的に変化がない場合）には（ステップＳ７でＮＯ）、放射線センサモジュール１３の動作がＴＶ受信障害の原因ではないので、ＣＰＵ２は放射線センサモジュール１３を再起動する（ステップＳ８）。ＣＰＵ２は、さらに、表示部６にメッセージを表示することにより、受信チャンネルを変更するか否かをユーザに問合わせる（ステップＳ９）。
【００５２】
問合わせの結果、ユーザによってチャンネルが変更された場合には（ステップＳ１０でＹＥＳ）、ＣＰＵ２は、変更後のチャンネルのＣＮ値を取得し（ステップＳ３）、取得したＣＮ値が許容レベル以上であるか否かを判定する（ステップＳ４）。ユーザによってチャンネルが変更されなかった場合には（ステップＳ１０でＮＯ）、ユーザによって入力部７を介して視聴終了指令が入力されるまで（ステップＳ１１でＹＥＳ）、デジタルＴＶ放送の視聴が継続される。
【００５３】
センサ停止前に比べてＣＮ値が改善している場合には（ステップＳ７でＹＥＳ）、放射線センサモジュール１３の動作がＴＶ受信障害の原因であるので、放射線センサモジュール１３は停止状態のまま維持される。ＣＰＵ２は、ＴＶ受信障害を回避するために放射線計測を一時的に停止したことを表示部６に表示するとともに、受信チャンネルを変更するか、またはＴＶ視聴を終了するかの問合わせを表示部６に表示する（ステップＳ１２）。
【００５４】
問合わせの結果、ユーザによってチャンネルが変更された場合には（ステップＳ１３でＹＥＳ）、ＣＰＵ２は、放射線センサモジュール１３を再起動してから（ステップＳ１６）、変更後のチャンネルのＣＮ値を取得し（ステップＳ３）、取得したＣＮ値が許容レベル以上であるか否かを判定する（ステップＳ４）。ユーザによってチャンネルが変更されなかった場合には（ステップＳ１０でＮＯ）、ユーザによって入力部７を介して視聴終了指令が入力されるまで（ステップＳ１４でＹＥＳ）、デジタルＴＶ放送の視聴が継続される。ＣＰＵ２は、デジタルＴＶ放送の視聴の終了後に、放射線センサモジュール１３を再起動して放射線計測を再開する（ステップＳ１５）。
【００５５】
［実施の形態の効果］
上記の実施の形態によれば、ＣＰＵ２は、ＴＶ用のチューナモジュール１５および放射線センサモジュール１４が共に動作中のときに選択中のチャンネルの信号品質（たとえば、ＣＮ値）が許容レベルに達していない場合には、放射線センサモジュール１３を一時的に停止し、放射線センサモジュール１３を停止する前後で選択中のチャンネルの信号品質を比較する。これによって、ＴＶ放送の受信障害の原因が放射線センサモジュール１３であるか否かを検知することができる。
【００５６】
放射線センサモジュール１３を停止する前後で選択中のチャンネルの信号品質が実質的に変化していない場合には、ＴＶ放送の受信障害の原因は放射線センサモジュール１３ではない。この場合、ＣＰＵ２は、放射線センサモジュール１３の動作を継続する。これによって、放射線計測をできるだけ中断することなく、より多くの放射線計測データを取得できる。
【００５７】
一方、放射線センサモジュール１３の停止中のほうが動作中に比べて選択中のチャンネルの信号品質が改善している場合には、放射線センサモジュール１３の動作が受信障害の原因である。この場合、ユーザに対して、チャンネルを変更するかＴＶ放送の視聴を停止するかを促す通知をすることによって、放射線計測をできるだけ早く再開することができる。放射線センサモジュール１３は、ＴＶ放送の視聴を終了した後、またはチャンネルが変更された後に再起動される。チャンネルが変更されたときには、変更後のチャンネルで、再度、受信障害の有無が確認される。
【００５８】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００５９】
１  携帯端末装置、２  ＣＰＵ、８，１４  アンテナ、９  通信装置（携帯電話用）、１３  放射線センサモジュール、１５  チューナモジュール、２０  放射線センサ本体、２１  ＡＳＩＣ、２５  クロック生成回路、３５  チューナ部、３６  伝送路復号部、３７  信号品質検出部。
【図１】
2014053670.tif 000003
【図２】
2014053670.tif 000004
【図３】
2014053670.tif 000005
【図４】
2014053670.tif 000006
【図５】
2014053670.tif 000007
【図６】
2014053670.tif 000008